(57)【要約】【課題】印刷用のプルーフを作成する際に印刷物における版ずれによる色調の変化を再現可能な画像記録装置及び画像記録方法を提供する。【解決手段】この画像記録装置１０は、網点画像からカラー画像を記録し、網点の左側の境界画素と右側の境界画素及び／又は上側の境界画素と下側の境界画素を検出する検出手段２０と、右側と左側の境界画素及び／又は上側と下側の境界画素をそれぞれ元の色調とは異なる色調で記録する記録手段１３，２９，１４と、を備える。【選択図】図２
2008268247.tif 000002
【特許請求の範囲】
【請求項１】
網点画像からカラー画像を記録する画像記録装置において、
網点の左側の境界画素と右側の境界画素及び／又は上側の境界画素と下側の境界画素を検出する検出手段と、
前記右側と左側の境界画素及び／又は前記上側と下側の境界画素をそれぞれ元の色調とは異なる色調で記録する記録手段と、を備えることを特徴とする画像記録装置。
【請求項２】
前記記録手段は、前記右側と左側の境界画素の内の一方の濃度を増やし他方を減らすこと及び／又は前記上側と下側の境界画素の内の一方の濃度を増やし他方を減らすことにより前記異なる色調で記録を行う請求項１に記載の画像記録装置。
【請求項３】
前記カラー画像はカラー印刷物のプルーフであり、
前記カラー印刷物における版ずれ情報に基づいてＹＭＣの各画像データの内のいずれかについて前記異なる色調で記録を行うことを決定する請求項１または２に記載の画像記録装置。
【請求項４】
網点画像からカラー画像を記録する画像記録方法において、
網点の左側の境界画素と右側の境界画素及び／又は上側の境界画素と下側の境界画素を検出するステップと、
前記右側と左側の境界画素及び／又は前記上側と下側の境界画素をそれぞれ元の色調とは異なる色調で記録するステップと、を含むことを特徴とする画像記録方法。
【請求項５】
前記右側と左側の境界画素の内の一方の濃度を増やし他方を減らすこと及び／又は前記上側と下側の境界画素の内の一方の濃度を増やし他方を減らすことにより前記異なる色調で記録を行う請求項５に記載の画像記録方法。
【請求項６】
前記カラー画像はカラー印刷物のプルーフであり、
前記カラー印刷物における版ずれ情報に基づいてＹＭＣの各画像データの内のいずれかについて前記異なる色調で記録を行うことを決定する請求項４または５に記載の画像記録方法。
【発明の詳細な説明】
【技術分野】
【０００１】
本発明は、印刷のプルーフ用に網点画像を記録材料に記録する画像記録装置及び画像記録方法に関する。
【背景技術】
【０００２】
従来、カラー印刷工程において、印刷物の校正のため校正物（印刷用プルーフ）を別途作成し、本番の印刷版を作成する前に印刷物の仕上がりを事前に確認している。一方、通常のカラー印刷工程においてはインクを紙に転写するプロセスを色版数だけ繰り返すことにより、カラー画像を形成している。このため、色版ごとに画像の位置にずれが全くないというケースはほとんどなく、カラー印刷物には多少のずれが発生する。
【０００３】
これに対して、印刷用プルーフ作成のために感光材料に網点画像を記録するタイプ（例えば、下記特許文献１参照）のプルーフ作成装置の場合、デジタルデータの段階で各色版のデータを合成して露光データに変換し、１回の露光で感光材料に画像を記録するため、感光材料に記録された画像に印刷のような版ずれは発生しない。
【特許文献１】特開２００５−９１８６０号公報
【発明の開示】
【発明が解決しようとする課題】
【０００４】
一般的にカラー印刷物において、版がずれた場合とずれない場合とでは色調が微妙に異なるため、印刷用プルーフを作成する際に意図的に微妙に版をずらすことにより、印刷物との色調がより合い易くなる場合がある。
【０００５】
しかし、網点画像データの１画素未満の大きさで画像の位置をずらすためには、元の出力解像度よりも高い解像度の画像データに変換して画像位置をずらし、高い解像度で露光を行なう必要が生じるため、装置の構成が大きくなりコストが嵩むという問題がある。
【０００６】
また、特許文献１のように色によって露光タイミングを調整することにより版ずれを再現しようとした場合、感光材料に網点画像を記録する装置ではＹＭＣＫの網点画像をＹＭＣの露光データに変換して露光するため（ＫをＹＭＣの重ね合わせで表現する）、ＹＭＣＫのうち特定の版だけずらすことが困難である。例えば、Ｙ、Ｍ、Ｃ版のいずれかについて位置をずらそうとすると、Ｋ版を表現するＹＭＣの重ね合わせもずれてしまう。
【０００７】
本発明は、上述のような従来技術の問題に鑑み、印刷用のプルーフを作成する際に印刷物における版ずれによる色調の変化を再現可能な画像記録装置及び画像記録方法を提供することを目的とする。
【課題を解決するための手段】
【０００８】
上記目的を達成するために、本発明による画像記録装置は、網点画像からカラー画像を記録する画像記録装置において、網点の左側の境界画素と右側の境界画素及び／又は上側の境界画素と下側の境界画素を検出する検出手段と、前記右側と左側の境界画素及び／又は前記上側と下側の境界画素をそれぞれ元の色調とは異なる色調で記録する記録手段と、を備えることを特徴とする。
【０００９】
この画像記録装置によれば、網点画像の左側境界画素、右側境界画素及び／又は上側境界画素、下側境界画素をそれぞれ検出し、検出した境界画素部分の色調を調整することで、版ずれの場合と同様の色調変化を再現できる。
【００１０】
上記画像記録装置において前記記録手段は、前記右側と左側の境界画素の内の一方の濃度を増やし他方を減らすこと及び／又は前記上側と下側の境界画素の内の一方の濃度を増やし他方を減らすことにより前記異なる色調で記録を行うことが好ましい。
【００１１】
また、前記カラー画像はカラー印刷物のプルーフであり、前記カラー印刷物における版ずれ情報に基づいてＹＭＣの各画像データの内のいずれかについて前記異なる色調で記録を行うことを決定することで、印刷物における版ずれによる色調の変化を再現できる。
【００１２】
本発明による画像記録方法は、網点画像からカラー画像を記録する画像記録方法において、網点の左側の境界画素と右側の境界画素及び／又は上側の境界画素と下側の境界画素を検出するステップと、前記右側と左側の境界画素及び／又は前記上側と下側の境界画素をそれぞれ元の色調とは異なる色調で記録するステップと、を含むことを特徴とする。
【００１３】
この画像記録方法によれば、網点画像の左側境界画素、右側境界画素及び／又は上側境界画素、下側境界画素をそれぞれ検出し、検出した境界画素部分の色調を調整することで、版ずれの場合と同様の色調変化を再現できる。
【００１４】
上記画像記録方法において前記右側と左側の境界画素の内の一方の濃度を増やし他方を減らすこと及び／又は前記上側と下側の境界画素の内の一方の濃度を増やし他方を減らすことにより前記異なる色調で記録を行うことが好ましい。
【００１５】
また、前記カラー画像はカラー印刷物のプルーフであり、前記カラー印刷物における版ずれ情報に基づいてＹＭＣの各画像データの内のいずれかについて前記異なる色調で記録を行うことを決定するすることで、印刷物における版ずれによる色調の変化を再現できる。
【発明の効果】
【００１６】
本発明の画像記録装置及び画像記録方法によれば、印刷用のプルーフを作成する際に印刷物における版ずれによる色調の変化を再現できる。
【発明を実施するための最良の形態】
【００１７】
以下、本発明を実施するための最良の形態について図面を用いて説明する。図１は本実施の形態による画像記録装置の概略的構成を示すブロック図である。図２は図１の露光制御部の構成例を示すブロック図である。図３は図２のエッジ検出部で用いるマスクの例を説明するための図である。
【００１８】
図１に示すように、画像記録装置１０は、外部のＲＩＰ等から２値の網点画像データが入力する画像データインターフェース（Ｉ／Ｆ）１１と、ハードディスク記憶装置等から構成されて画像データＩ／Ｆ１１からの画像データを暫定的に記憶する画像メモリ１２と、画像メモリ１２から読み出された画像データの露光データへの変換を制御する露光制御部１３と、露光制御部１３からの露光データに基づいて感光材料に露光し画像記録を行う露光部１４と、画像データＩ／Ｆ１１，画像メモリ１２，露光制御部１３及び露光部１４を制御するように中央演算処理装置（ＣＰＵ）から構成された制御部１５と、各種情報を入力可能な入力部１６と、を備える。
【００１９】
画像記録装置１０は、印刷工場等における印刷の際に印刷出力対象の絵柄、色調、文章、文字等の確認を行うためのカラープルーフ（校正用サンプル）を作成可能であり、印刷工場のクライアント端末からのＰＳ(PostScript)データ等の多値画像データに基づいて外部のＲＩＰ(Raster Image Processor)でラスターイメージ変換処理等を行い２値の網点画像データを生成するが、この網点画像データに基づいてカラープルーフを作成し出力する。
【００２０】
図２のように、画像記録装置１０の露光制御部１３は、網点画像における境界画素（エッジ）を検出するエッジ検出部２０と、エッジ検出部２０からの左側エッジ検出信号が入力する第１のＯＲ回路２１と、エッジ検出部２０からの右側エッジ検出信号が入力する第２のＯＲ回路２２と、ＹＭＣＫの網点画像データを露光量（ＲＧＢ）が設定された露光データに変換して露光部１４に出力するためのルックアップテーブルである画像データ／露光量変換テーブル（ＬＵＴ）２９と、を備える。
【００２１】
エッジ検出部２０は、Ｃ版の網点における左側の境界画素を検出するＣ左エッジ検出部２０ａ，Ｍ版の網点における左側の境界画素を検出するＭ左エッジ検出部２０ｂ，Ｙ版の網点における左側の境界画素を検出するＹ左エッジ検出部２０ｃ，Ｋ版の網点における左側の境界画素を検出するＫ左エッジ検出部２０ｄ，Ｃ版の網点における右側の境界画素を検出するＣ右エッジ検出部２０ｅ，Ｍ版の網点における右側の境界画素を検出するＭ右エッジ検出部２０ｆ，Ｙ版の網点における右側の境界画素を検出するＹ右エッジ検出部２０ｇ及びＫ版の網点における右側の境界画素を検出するＫ右エッジ検出部２０ｈをそれぞれ有する。
【００２２】
各エッジ検出部２０ａ〜２０ｈでは、例えば図３のような３×３のマスクにより２値の網点画像データにおける網点のエッジ（境界画素）を検出する。図３のように、注目画素ｇ１及びその左右の画素ｇ２，ｇ３について「０」（色なし）または「１」（色つき）を検出する。例えば、Ｃ左エッジ検出部２０ａは、Ｃ版の網点について注目画素ｇ１が色つきで、画素ｇ１の左側の画素ｇ２が色なしであるとき、注目画素ｇ１をＣ版の左エッジ（境界画素）として検出する。また、Ｃ右エッジ検出部２０ｅは、同じく、注目画素ｇ１が色つきで、画素ｇ１の右側の画素ｇ３が色なしであるとき、注目画素ｇ１をＣ版の右エッジ（境界画素）として検出する。
【００２３】
上述のようなエッジ検出を注目画素を順々に変えることでＣ版の網点画像データにおける網点の全画素について行う。同様のエッジ検出をＭＹＫの各版について行う。
【００２４】
第１のＯＲ回路２１は、各ＣＭＹＫ左エッジ検出部２０ａ〜２０ｄで検出した左側エッジの論理和をとって左側エッジ検出信号を得てＬＵＴ２９に出力する。第２のＯＲ回路２２は、各ＣＭＹＫ右エッジ検出部２０ｅ〜２０ｈで検出した右側エッジの論理和をとって右側エッジ検出信号を得てＬＵＴ２９に出力する。
【００２５】
ＬＵＴ２９は、ＹＭＣＫの網点画像データと左側エッジ検出信号と右側エッジ検出信号との組み合わせに対する露光量を予め設定し、入力した各組み合わせに対し露光量を決定する。これにより、例えば、プルーフにおいて右側の境界画素と左側の境界画素の内の一方の濃度を増やし他方を減らすような濃度調整が可能である。
【００２６】
この場合、ＹＭＣのいずれの版で左右のいずれの方向に版ずれが生じてるかの版ずれ情報が図１の入力部１６から入力されると、図１の制御部１５は、その版ずれ情報に基づいて濃度調整を制御する。版ずれ情報が、例えば、版ずれがＣ版で生じ、そのずれ方向が右側である場合には、Ｃ版の画像データについて右側の境界画素の濃度を増やし左側の境界画素の濃度を減らすような濃度調整を行う。
【００２７】
なお、版ずれ情報は、校正対象の印刷物を印刷する印刷機で過去に印刷した印刷物からルーペ等による観察で得ることができる。また、版ずれ情報は、スキャナ等でその印刷物の画像を読み取り、読み取った画像データから得るようにしてもよい。
【００２８】
また、露光部１４は、例えば、波長４５０ｎｍ程度のＢ（ブルー）、波長５４０ｎｍ程度のＧ（グリーン）、波長６５０ｎｍ程度のＲ（レッド）の各色を発光するように発光ダイオード（ＬＥＤ）等から構成された異なる３波長の複数の光源を備え、ＬＵＴ２９からの露光データに基づいて各光源から感光材料に露光してから所定の現像処理を行うことで、ＢによりＹ（イエロー）、ＲによりＭ（マゼンダ）、ＧによりＣ（シアン）がそれぞれ発色するように構成される。
【００２９】
次に、図１の露光制御部の別の構成例について図４を参照して説明する。図４は図１の露光制御部の別の構成例を示すブロック図である。
【００３０】
図４の露光制御部１３は、図２に対して、更に上側の境界画素と下側の境界画素を検出し、上側と下側の境界画素の濃度も調整するものであり、エッジ検出部２０として、Ｃ版の網点における上側の境界画素を検出するＣ上エッジ検出部２５ａ，Ｍ版の網点における上側の境界画素を検出するＭ上エッジ検出部２５ｂ，Ｙ版の網点における上側の境界画素を検出するＹ上エッジ検出部２５ｃ，Ｋ版の網点における上側の境界画素を検出するＫ上エッジ検出部２５ｄ，Ｃ版の網点における下側の境界画素を検出するＣ下エッジ検出部２５ｅ，Ｍ版の網点における下側の境界画素を検出するＭ下エッジ検出部２５ｆ，Ｙ版の網点における下側の境界画素を検出するＹ下エッジ検出部２５ｇ及びＫ版の網点における下側の境界画素を検出するＫ下エッジ検出部２５ｈをそれぞれ更に有する。
【００３１】
各エッジ検出部２５ａ〜２５ｈでは、エッジ検出部２０ａ〜２０ｈと同様に、例えば図３のような３×３のマスクを用いて、注目画素ｇ１及びその上下の画素ｇ４，ｇ５について「０」（色なし）または「１」（色つき）を検出する。例えば、Ｃ上エッジ検出部２５ａは、Ｃ版の網点について注目画素ｇ１が色つきで、画素ｇ１の上側の画素ｇ２が色なしであるとき、注目画素ｇ１をＣ版の上エッジ（境界画素）として検出する。また、Ｃ下エッジ検出部２５ｅは、同じく、注目画素ｇ１が色つきで、画素ｇ１の下側の画素ｇ５が色なしであるとき、注目画素ｇ１をＣ版の下エッジ（境界画素）として検出する。
【００３２】
上述のようなエッジ検出（境界画素検出）を注目画素を順々に変えることでＣ版の網点画像データにおける網点の全画素について行う。同様のエッジ検出をＭＹＫの各版について行う。
【００３３】
第３のＯＲ回路２３は、各ＣＭＹＫ上エッジ検出部２５ａ〜２５ｄで検出した上側エッジの論理和をとって上側エッジ検出信号を得てＬＵＴ２９に出力する。第４のＯＲ回路２４は、各ＣＭＹＫ下エッジ検出部２５ｅ〜２５ｈで検出した下側エッジの論理和をとって下側エッジ検出信号を得てＬＵＴ２９に出力する。
【００３４】
ＬＵＴ２９は、ＹＭＣＫの網点画像データと左側エッジ検出信号と右側エッジ検出信号と上側エッジ検出信号と下側エッジ検出信号との組み合わせに対する露光量を予め設定し、入力した各組み合わせに対し露光量を決定する。これにより、例えば、プルーフにおいて右側の境界画素と左側の境界画素の内の一方の濃度を増やし他方を減らすとともに下側の境界画素と上側の境界画素の内の一方の濃度を増やし他方を減らすような濃度調整が可能である。
【００３５】
この場合、ＹＭＣのいずれの版で左右上下のいずれの方向に版ずれが生じてるかの版ずれ情報が図１の入力部１６から入力されると、図１の制御部１５は、図１の入力部１６から入力された版ずれ情報に基づいて濃度調整を制御する。版ずれ情報が、例えば、版ずれがＣ版で生じ、そのずれ方向が右・下である場合には、Ｃ版の画像データについて右側及び下側の境界画素の濃度を増やし左側及び下側の境界画素の濃度を減らすような濃度調整を行う。
【００３６】
次に、図１〜図３の画像記録装置の動作（Ｓ０１〜Ｓ０７）について図５のフローチャートを参照して説明する。
【００３７】
まず、ＬＵＴ２９に対してＣＭＹＫの網点画像データ、左側エッジ検出信号及び右側エッジ検出信号の組み合わせに対する露光量（ＲＧＢ）を設定する（Ｓ０１）。
【００３８】
次に、外部のＲＩＰ等から入力し画像メモリ１２に記憶されたＣＭＹＫの網点画像データが読み込まれ、網点画像データの左側エッジ（境界画素）を色版毎に各左エッジ検出部２０ａ〜２０ｄで検出する（Ｓ０２）。そして、色版毎に検出した左側エッジの論理和を第１のＯＲ回路２１でとり左側エッジ信号を得る（Ｓ０３）。
【００３９】
同様に、網点画像データの右側エッジ（境界画素）を色版毎に各右エッジ検出部２０ｅ〜２０ｈで検出する（Ｓ０４）。そして、色版毎に検出した右側エッジの論理和を第２のＯＲ回路２２でとり右側エッジ信号を得る（Ｓ０５）。
【００４０】
次に、上述のＣＭＹＫの網点画像データと左側エッジ信号と右側エッジ信号とをＬＵＴ２９に入力し露光量に変換する（Ｓ０６）。すなわち、ＬＵＴ２９では網点画像データ（ＣＭＹＫ）と左側エッジ検出信号と右側エッジ検出信号との組み合わせに対して露光量が設定されているから、各組み合わせ毎に露光量が決定される。なお、ＬＵＴ２９では左右の版ずれ方向に応じて露光量が設定されており、入力した版ずれ情報に基づいて露光量が決定される。
【００４１】
上述のようにして露光量を決定した露光データが露光部１４に出力し、この露光データにより露光部１４で感光材料に露光処理が行われプルーフが出力する（Ｓ０７）。かかるプルーフでは、例えば、版ずれがＣ版で生じ、そのずれ方向が右側である場合には、Ｃ版の右側の境界画素の濃度を増やし左側の境界画素の濃度を減らしている。
【００４２】
上述の図１〜図３の画像記録装置によれば、網点画像の左側境界画素、右側境界画素をそれぞれ検出し、検出した境界画素の色調を、例えば、Ｃ版で右方向に版ずれが生じている場合、Ｃ版の右側の境界画素の濃度を増やし左側の境界画素の濃度減らすように調整することで、版ずれの場合と同様の色調変化を再現できる。
【００４３】
印刷機によるカラー印刷で墨を印刷する場合、図６（ａ）のようにＹ＋Ｍ＋Ｃ＋Ｋの重ね刷り、または、図６（ｂ）のようにＫ版単独により行うことができるが、このとき、ＹＭＣのいずれの版がずれても図６（ｄ）のように、図６（ｂ）のＫ版単独の場合には問題ないが、図６（ａ）のＹ＋Ｍ＋Ｃ＋Ｋの重ね刷りの場合には、例えば、Ｍ版が図６（ｃ）のように右側及び下側にずれると、画像の右側及び下側の部分でＭ成分が増加し、画像の左側及び上側の部分でＭ成分が減少することから、色にじみ等となって版ずれがない場合と比べて色調が微妙に異なってしまう。
【００４４】
特許文献１のように印刷物のプルーフ作成のために感光材料に画像を記録する場合には、印刷物がＹ＋Ｍ＋Ｃ＋Ｋの重ね刷りでも、Ｋ版単独でも、そのプルーフは図７（ａ）、（ｂ）のようにＹＭＣの重ね合わせで表現する。かかるプルーフの作成の際に、例えば、図６（ｃ）のような印刷物におけるＭ版の版ずれを再現するために特許文献１のようにＭ版について露光タイミングをずらしてＭ版の露光位置をずらすと、Ｙ＋Ｍ＋Ｃ＋Ｋの重ね刷りに対するプルーフでもＫ版単独に対するプルーフでも図７（ｃ）、（ｄ）のようにＭ版がずれてしまう。Ｙ＋Ｍ＋Ｃ＋Ｋの重ね刷りを再現するプルーフでは問題ないが、Ｋ版単独を再現するプルーフでは重ね合わせもずれてしまい、Ｋ版単独の再現に問題が生じた。
【００４５】
これに対し、本実施の形態によれば、Ｙ＋Ｍ＋Ｃ＋Ｋの重ね刷りの印刷物の場合、例えば、図８（ａ）のようにＭ版が右側及び下側にずれると、画像の右側及び下側の部分でＭ成分が増加し、画像の左側及び上側の部分でＭ成分が減少するが、本実施の形態のプルーフでは、図８（ｂ）のように、版をずらす代わりに、画像の右側領域Ｒ及び下側領域ＷのＭ濃度を増やし、画像の左側領域Ｌ及び上側領域ＵのＭ濃度を減らすことで、印刷の版ずれによる色調変化を再現できる。
【００４６】
上述のように、本実施の形態では、記録材料に画像を記録してプルーフを作成する際に、例えばＭ版の版ずれ情報が入力されても露光タイミングをずらして露光位置を変えるのではないから、印刷物がＫ版単独の場合に、上述の図７（ｄ）のような問題は生じない。
【００４７】
以上のように本発明を実施するための最良の形態について説明したが、本発明はこれらに限定されるものではなく、本発明の技術的思想の範囲内で各種の変形が可能である。例えば、図５において画像記録装置１０を、図４の露光制御部１３により右側エッジ（境界画素）と左側エッジ（境界画素）及び下側エッジ（境界画素）と上側エッジ（境界画素）を検出し、右側境界画素と左側境界画素及び下側境界画素と上側境界画素について濃度調整をするように動作させてもよく、これにより図８（ｂ）のようなプルーフを作成できる。
【００４８】
また、図４の露光制御部１３において下側エッジ（境界画素）と上側エッジ（境界画素）を検出し、下側境界画素と上側境界画素について濃度調整をするように動作させてもよく、この場合は、左右エッジ検出部２０ａ〜２０ｈ及びＯＲ回路２１，２２を省略できる。
【図面の簡単な説明】
【００４９】
【図１】本実施の形態による画像記録装置の概略的構成を示すブロック図である。
【図２】図１の露光制御部の構成例を示すブロック図である。
【図３】図２のエッジ検出部で用いるマスクの例を説明するための図である。
【図４】図１の露光制御部の別の構成例を示すブロック図である。
【図５】本実施の形態による画像記録装置の動作を説明するためのフローチャートである。
【図６】印刷機によるカラー印刷で墨をＹ＋Ｍ＋Ｃ＋Ｋの重ね刷り（ａ）及びＫ版単独（ｂ）で表現した場合を模式的に示す図（上側の図が平面図、下側の図が断面模式図）であり、Ｍ版がずれたときのＹ＋Ｍ＋Ｃ＋Ｋの重ね刷り（ｃ）及びＫ版単独（ｄ）の場合を模式的に示す図（上側の図が平面図、下側の図が断面模式図）である。
【図７】Ｙ＋Ｍ＋Ｃ＋Ｋの重ね刷り（ａ）及びＫ版単独（ｂ）で墨を表現した印刷物に対するプルーフを感光材料にＹＭＣの重ね合わせで作成した場合を模式的に示す図（上側の図が平面図、下側の図が断面模式図）であり、Ｍ版の版ずれを再現するために特許文献１のようにＭ版の露光タイミング（露光位置）を変えてＹ＋Ｍ＋Ｃ＋Ｋの重ね刷り（ｃ）及びＫ版単独（ｄ）の場合を再現するプルーフを模式的に示す図（上側の図が平面図、下側の図が断面模式図）である。
【図８】印刷機によるカラー印刷で墨をＹ＋Ｍ＋Ｃ＋Ｋの重ね刷りで表現する場合にＭ版がずれたことを模式的に示す図（ａ）（上側の図が平面図、下側の図が断面模式図）であり、本実施の形態において図８（ａ）の版ずれを再現したプルーフを模式的に示す図（ｂ）（上側の図が平面図、下側の図が断面模式図）である。
【符号の説明】
【００５０】
１０ 画像記録装置
１３ 露光制御部
１４ 露光部
１５ 制御部
２０ エッジ検出部
２０ａ〜２０ｄ 左エッジ検出部
２０ｅ〜２０ｈ 右エッジ検出部
２１〜２４ ＯＲ回路
２５ａ〜２５ｄ 上エッジ検出部
２５ｅ〜２５ｈ 下エッジ検出部
２９ 画像データ／露光量変換テーブル（ＬＵＴ）
【図１】
2008268247.tif 000003
【図２】
2008268247.tif 000004
【図３】
2008268247.tif 000005
【図４】
2008268247.tif 000006
【図５】
2008268247.tif 000007
【図６】
2008268247.tif 000008
【図７】
2008268247.tif 000009
【図８】
2008268247.tif 000010